(57)【特許請求の範囲】
【請求項１】
弧光式電気炉の炉殻鉄皮（１）の炉床側下方面（Ｂ）に耐火物層（２）を内張りし、さらに該炉殻鉄皮（１）の炉壁側上方面（Ａ）に冷媒流通路（６）を内蔵すると共に該炉殻鉄皮（１）を貫通する酸素ガス供給パイプ（１０）を連接しかつ被溶解材方向に指向する酸素ガス吹出し口（１１）を炉周方向に多数穿設した酸素ガス分散供給室（９）を任意な位置に併設した冷媒流通パネル（３）を内張りした事を特徴とする製鋼用弧光式電気炉。
【発明の詳細な説明】
【０００１】
【発明の属する技術分野】
本発明は、電極間で発生する電弧（または弧光）の熱を利用して冷材の被溶解材を溶解し精練する、製鋼用弧光式電気炉に関するものである。
【０００２】
【従来の技術】
弧光式電気炉には、間接式弧光炉と直接式弧光炉とがある。間接式弧光炉とは、上方の電極相互間で発生する弧光の輻射熱によって被溶解材を溶解精練するもので、スタッサノ炉やレンナーフェルト炉の如き輻射弧光式電気炉がある。直接式弧光炉とは、電極と被溶解材との間で発生する弧光の熱によって被溶解材を溶解精練するものであって、電流が一方の電極から鋼滓、溶鋼、鋼滓を経て他方の電極に流れる際に発生する弧光の熱によって溶解精練するエルー式電気炉の如き列式弧光電気炉、上方の電極から流される電流が鋼滓、溶鋼を通って下方炉床の電極に入るジロー式電気炉の如き炉床極式弧光電気炉がある。このような弧光式電気炉は、高温度（１８００〜１９００℃）の熱が得られるため溶鋼温度調整が容易であること、熱効率が高いこと、炉内雰囲気を酸化性または還元性のいずれにも調整し易いこと、溶鋼中のＰやＳなどの不純物元素を除去できること、装入原料の制約が少ないこと、炉体設置面積が小さくて設備費が低廉であることなど多くの利点から、普通鋼から合金鋼の製造まで幅広く利用されている。
【０００３】
また弧光式電気炉の炉体構造は、籠型パネル式炉殼や分割炉殼などの炉殼鉄皮の炉床側下方面をクロムまたはマグネシア煉瓦などの耐火煉瓦や、マグネシアクリンカー、ドロマイトクリンカー等の不定形耐火物で内張りしその上方の炉壁側上方面を冷却水流通路を内蔵する構造の水冷パネルを内張りする。炉殻側面には開閉扉をもつ出鋼口と出滓口が設けられている。また炉体の炉頂部には、屑鉄や銑鉄の如き冷材や溶銑または溶鋼の他に石灰や螢石などの溶剤やコークスやフェロシリコンなどの還元剤など多くの種類の被溶解材を投入する装入口と該装入口を開閉する炉蓋が設けられている。さらに炉体を稼動するために必要な炉体傾動装置、電極昇降装置など多くの種類の付帯装置の他に、溶解時間を短縮し生産性を向上するために、酸素または酸素と燃料を同時に被溶解材あるいは鋼浴面に噴射する酸素ランスや酸素バーナーが炉壁上方に設けられている。
この様な構造の弧光式電気炉に装入口から冷材や溶剤などの被溶解材を投入した後、炉内に装入された電極に電流を通し、被溶解材との間に電弧を発生させ、その電弧熱並びに炉内に噴射された酸素と溶解材に含まれる炭素や珪素および装入または噴射された燃料などとの酸化反応熱によって、被溶解材を溶解する。被溶解材の溶解中に鋼浴から発生する大量のＣＯガスは、一部が炉内に侵入する空気中の酸素によって炉内で燃焼し、その燃焼熱で被溶解材の溶解を促進しまた炉内温度を上昇させるが、残りは炉内から排出される。排出されたＣＯガスは、作業環境を悪化し公害問題を誘発する問題からＣＯガスドラフト回収装置の燃焼塔で完全燃焼させて排ガス化する。この排ガスの熱は被溶解材の予熱などに一部利用されるが、この方法ではＣＯガスの燃焼熱の多くが炉内侵入空気や燃焼塔の冷却水などに奪われるために熱損失が大きい。従って炉内にＣＯガスを燃焼させるための二次燃焼酸素ランスを設置し、これから噴出する酸素によって炉内でＣＯガスを出来るだけ多く燃焼させ、炉内での熱回収を増やす方法が近年採用されるようになってきている。
【０００４】
【発明が解決しようとする課題】
ところが従来の二次燃焼ランスは、炉殻鉄皮の上方部より水冷パネルの貫通孔に差し込むように装着して使用されるが、鋼浴より発生するＣＯガスを効率よく燃焼させるためには炉体周囲より出来る限り均等に酸素を吹き込むほうが良いため、炉体周囲を略均等に分割するように複数個設置されることが多い。この様に二次燃焼酸素ランスを設けた弧光式電気炉は、炉内で発生するＣＯガスを炉内で燃焼させ、その燃焼熱が被溶解材を溶解する熱として有効に利用される点では評価できる。しかしながら、炉壁に装着する二次燃焼酸素ランスの数は、普通は４本、多くて８本程度である。これ以上に多い本数の二次燃焼酸素ランスを炉壁に装着することは、炉体の保持強度が低下するため高温度の熱や炉体の傾斜駆動操作に耐え切れず、炉体寿命を短命化し、炉体補修費が嵩む問題があった。またこの様な問題は少ない本数の二次燃焼酸素ランスの装着によって回避できるが、発生するＣＯガスを十分に燃焼させ被溶解材の溶解熱に再利用するためには、一本の二次燃焼酸素ランスから大量の酸素ガスを勢いよく噴出させねばならず、これに伴って酸素ガスの供給が一部分に滞る弊害が起こり、被溶解材にコールドスポット部またはホットスポット部と呼ばれる不均一な加熱ムラと上昇温度の遅延化現象を出現する問題があった。
【０００５】
本発明は、上記の様な問題を解消する事を目的にしたもので、炉体強度を低下する事なく、被溶解材の溶解温度まで均一に昇温しかつ加速し、溶解精練時間も短縮する弧光式電気炉を提供するものである。
【０００６】
【課題を解決するための手段】
本発明はその目的を達成したもので、その要旨とは、弧光式電気炉の炉殼鉄皮の炉床側下方面に耐火物層を内張りし、さらに該炉殻鉄皮の炉壁側上方面に冷媒流通炉を内蔵すると共に該炉壁鉄皮を貫通する酸素ガス供給パイプを連接しかつ被溶解材方向に指向する酸素ガス吹き出し口を炉周方向に多数穿設した酸素ガス供給室を任意な位置に併設した冷媒流通パネルを内張りして構成した製鋼用弧光式電気炉である。
【０００７】
【発明の実施の形態】
以下、本発明の製鋼用弧光式電気炉について、図面を参照しながら詳細に説明する。
図１および図２は本発明の製鋼用弧光式電気炉の一実施例を示したもので、図１は本発明の縦断面図、図２は図１のＸ−Ｘ線断面図を示す。図１において、１は弧光式電気炉の炉殻鉄皮である。炉殻鉄皮１は、弧光式電気炉の炉体を支持するものであって、普通鋼や特殊鋼などの厚鋼板を溶接または鋲打ちにより、炉壁側上方面Ａは円筒形状にまた底部の炉床側下方面Ｂは皿型に成形加工したもので、必要によっては高温による変形を防止するために補強材を各所に使用した一体物の鉄皮である。炉体は、一般に円形であるが、楕円形あるいは矩形など如何なる形状であっても構わない。２は、耐火物層である。耐火物層２は、炉殻鉄皮１の炉床側下方面Ｂをクロム煉瓦やマグネシア煉瓦などの各種耐火煉瓦を積み重ねたり、あるいはその上にマグネシアクリンカーやドロマイトなどの不定形耐火物材料を皿状に搗き固めるなどして、内張り耐火物の耐熱構造に施されている。３は冷媒流通パネルで、炉殼鉄皮１の炉壁側上方面Ａを、炉内に張り着く様に設けられている。冷媒流通パネル３は、図３で各部分の断面図を示す様に、内部に空間をもつ任意な形状をした例えば矩形断面形状のパネルボックス４の内部に流通ガイド壁５（点線図示）を設けて、水や低温ガスなどの冷媒が、該ボックス全体を冷却するように蛇行しながら、同一方向に流通する冷媒流通路６を内蔵する構造（図ａの内部透視図）に製作されている。７は冷媒導入口で冷媒供給装置（図示せず）に連接され、８は冷媒導出口で冷媒供給源回収装置（図示せず）に連接されている。さらに冷媒流通パネル３には、酸素ガス分散供給室９が、任意な位置に設けられる。図３は、冷媒流通パネル３の炉床側下方面Ｂ側に酸素ガス分散供給室９を設けた場合の一実施例（図ａ、図ｂ、図ｃ）を示す。該酸素ガス分散供給室９には、酸素ガス供給源（図示せず）に連通された酸素ガス供給パイプ１０が炉殼鉄皮１を貫通して連接し、炉内側には被溶解材方向に指向する酸素ガス吹出し口１１が、炉周方向に多数穿設（図ｄ）されている。図２は、酸素ガス吹出し口１１を炉周方向に多数穿設した場合の例で、１２は出鋼口で、１３は出滓口を示す。すなわち、本発明における冷媒流通パネル３は、冷媒流通路６を内蔵する構造で、任意な位置から酸素ガスを導入しまた噴出する酸素ガス分散供給室９が任意な位置に併設して構成されている。
【０００８】
図１において、１４は電極である。電極１４は、被溶解材の溶解進行に伴って上下に可動しかつ電流を伝導する昇降自在な電極把持器（図示せず）に支持され、炉内に装入された被溶解材と電極１４との間に弧光を発生させながら、その弧光熱の高温度を利用して被溶解材を溶解し精練する。１５は炉蓋で、被溶解材の装入方法や炉体の構造によって構造が異なるが、被溶解材の炉頂装入の場合は炉蓋移動式、炉蓋移行式、炉蓋旋回式などが多く使用されている。また炉蓋１５には、電極１４の装入口が設けられ、しかも耐熱性が要求される事から耐火煉瓦を内張りしたりあるいは水冷構造に構築されている。
【０００９】
上記の様に構築された本発明の製鋼用弧光式電気炉は、屑鉄や銑鉄などの冷材、溶銑や溶鋼の他に生石灰やコークスなどの様に通常使用される被溶解材を、炉頂の被溶解材装入口（図示せず）より装入する。被溶解材の装入が終われば、炉蓋１５を被せ、電極１４を降下させ炉内に装入した後、電圧電流を徐々に増大せしめながら電弧を発生させ、その電弧熱によって被溶解材を溶解し精練する。溶解精練中には消耗式の酸素パイプ（図示せず）または水冷式の酸素ランス（図示せず）より酸素ガスを鋼浴に吹き込みながら本発明の冷媒流通パネル３に設けた酸素ガス噴出口１１から炉内に酸素ガスを吹込む。消耗式の酸素パイプまたは水冷式の酸素ランスより鋼浴に吹込まれた酸素ガスは、被溶解材に含まれる珪素や炭素および炉内に酸素と同時に吹込まれるコークスやその他の燃料などを燃焼させて被溶解材の溶解を促進するが、同時に大量のＣＯガスを鋼浴より発生させる。本発明の冷媒流通パネル３に設けた酸素ガス噴出口１１からも炉内に吹込まれる酸素ガスは、酸素ガス供給源から酸素ガス供給パイプ１０を経て酸素ガス分散供給室９に供給され、ここで一旦貯留して均一なガス圧と流量に調整された後、図２で示す様に、炉内側炉周方向に多数穿設した酸素ガス吹出し口１１から噴出されながら、鋼浴から発生するＣＯガスを燃焼する。その大半の燃焼熱が被溶解材の溶解を加速する熱として利用されるため、ＣＯガスドラフト回収装置も低能力でよく、作業環境の悪化や公害問題の誘発可能性を著しく低減する効果を奏する
。精練終了末期は、有害な酸化性スラグ（滓）を含有する鋼滓を出滓口１３から掻き出した後、加炭材を添加して溶鋼中のＣ量の調整したりあるいはフェロシリコンやフェロマンガンなどを添加して脱酸反応の促進作業を終えた後、生石灰や螢石を添加して造滓作業を行い、出鋼口１２から溶鋼を取り出して一連の作業を終える。
【００１０】
上記で述べた様な溶解精練作業は、本発明の製鋼用弧光式電気炉における一作業例を説明したものであって、如何なる操作の溶解精練作業でも使用できる事は言うまでもない。
【００１１】
【発明の効果】
以上述べた様な本発明の製鋼用弧光式電気炉によれば、例えば１００ｔ電気炉内から発生するＣＯガスの二次燃焼率は、ＣＯ２／（ＣＯ＋ＣＯ２）の平均値で、従来（４本の二次燃焼ランス使用）の４０％から６０％に増加した。また電力原単位も４００ｋｗｈ／ｔから３７０ｋｗｈ／ｔに低減した。さらには被溶解材の偏り溶解現象もなく、均一な速度で被溶解材を溶解し、溶解精練時間も８０分から７４分に短縮された。
また本発明の製鋼用弧光式電気炉においては、酸素ガス吹出し口を炉内円周に設けても炉体の保持強度が低下する事もなく、酸素ガス吹出し口が冷媒流通パネルに併設する構造に設けられているため、熱による損傷もなく長期間使用できる特徴がある。
【図面の簡単な説明】
【図１】本発明の製鋼用弧光式電気炉の一実施例を示す。
【図２】図１のＸ−Ｘ線断面図を示す。
【図３】本発明における冷媒流通パネルの内部構造を拡大して示したもので、炉殻鉄皮側透視図（図ａ）とそのＹ−Ｙ線断面図（図ｂ）と、該図のＺ−Ｚ線断面図（図ｃ）および炉内側正面図（図ｄ）を示す。
【符号の説明】
１  炉殼鉄皮
２  耐火物層
３  冷媒流通パネル
４  パネルボックス
５  流通ガイド壁
６  冷媒流通路
７  冷媒導入口
８  冷媒導出口
９  酸素ガス分散供給室
１０  酸素ガス供給パイプ
１１  酸素ガス吹出し口
１２  出鋼口
１３  出滓口
１４  電極
１５  炉壁
Ａ  炉壁側上方面
Ｂ  炉壁側下方面
【図１】
0003546843.tif 000002
【図２】
0003546843.tif 000003
【図３】
0003546843.tif 000004